(57)【要約】【課題】異なる無線システムとの同時通信により生じる干渉を効率的に回避するための技術を提供することである。【解決手段】本発明の一態様は、セルラシステムとの第１の無線通信を制御するセルラ通信制御部と、前記セルラシステムと異なる無線システムとの第２の無線通信を制御する他無線システム通信制御部とを有するユーザ装置であって、前記セルラ通信制御部は、前記第１の無線通信において取得した情報に基づき、前記第１の無線通信と前記第２の無線通信との間の干渉を示す干渉通知を前記セルラシステムに通知するユーザ装置に関する。【選択図】図６
2019110352.tif 000002
【特許請求の範囲】
【請求項１】
セルラシステムとの第１の無線通信を制御するセルラ通信制御部と、
前記セルラシステムと異なる無線システムとの第２の無線通信を制御する他無線システム通信制御部と、
を有するユーザ装置であって、
前記セルラ通信制御部は、前記第１の無線通信において取得した情報に基づき、前記第１の無線通信と前記第２の無線通信との間の干渉を示す干渉通知を前記セルラシステムに通知するユーザ装置。
【請求項２】
前記取得した情報は、前記第１の無線通信における基地局測位により取得した位置情報を含む、請求項１記載のユーザ装置。
【請求項３】
前記セルラ通信制御部は、前記取得した位置情報に基づき当該ユーザ装置が干渉発生エリアにあるか判断し、当該ユーザ装置が干渉発生エリアにあると判断すると、前記干渉通知を前記セルラシステムに通知する、請求項２記載のユーザ装置。
【請求項４】
前記セルラ通信制御部は、前記取得した位置情報に基づき当該ユーザ装置が前記異なる無線システムによる測位が不可な測位不可エリアにあるか判断し、当該ユーザ装置が測位不可エリアにあると判断すると、前記他無線システム通信制御部をオフ状態に切り替える、請求項２記載のユーザ装置。
【請求項５】
前記取得した情報は、前記第１の無線通信の送信条件を含み、
前記セルラ通信制御部は、前記送信条件に応じて前記第２の無線通信の品質劣化に対する前記干渉通知を送信するトリガ条件を制御する、請求項１乃至４何れか一項記載のユーザ装置。
【請求項６】
前記取得した情報は、前記第１の無線通信における通信品質を含み、
前記セルラ通信制御部は、前記通信品質に応じて前記第２の無線通信の品質劣化に対する前記干渉通知を送信するトリガ条件を制御する、請求項１乃至４何れか一項記載のユーザ装置。
【請求項７】
前記取得した情報は、前記セルラシステムのカントリコードを含み、
前記セルラ通信制御部は、前記カントリコードに応じて前記第２の無線通信の品質劣化に対する前記干渉通知を送信するトリガ条件を制御する、請求項１乃至４何れか一項記載のユーザ装置。
【請求項８】
セルラシステム及び前記セルラシステムと異なる無線システムと通信するユーザ装置による通信方法であって、
前記セルラシステムとの第１の無線通信において情報を取得するステップと、
前記取得した情報に基づき、前記第１の無線通信と前記異なる無線システムとの第２の無線通信との間の干渉を示す干渉通知を前記セルラシステムに通知するステップと、
を有する通信方法。
【発明の詳細な説明】
【技術分野】
【０００１】
本発明は、無線通信システムに関する。
【背景技術】
【０００２】
現在のスマートフォンやタブレット（以下において、ユーザ装置（Ｕｓｅｒ  Ｅｑｕｉｐｍｅｎｔ：ＵＥ）と総称する）は、典型的には、ＬＴＥ（Ｌｏｎｇ  Ｔｅｒｍ  Ｅｖｏｌｕｔｉｏｎ）システムやＬＴＥ−Ａｄｖａｎｃｅｄシステムなどのセルラシステムと共に、ＧＮＳＳ（Ｇｌｏｂａｌ  Ｎａｖｉｇａｔｉｏｎ  Ｓａｔｅｌｌｉｔｅ  Ｓｙｓｔｅｍ）や無線ＬＡＮ（Ｌｏｃａｌ  Ａｒｅａ  Ｎｅｔｗｏｒｋ）などのセルラシステム以外の無線システム（以下において、他無線システムと総称する）と通信可能である。このようなユーザ装置には、セルラシステムとの無線通信を制御するためのセルラチップと、他無線システムとの無線通信を制御するための他システムチップとが搭載されている。これら２つのチップは独立したチップとして構成されており、ユーザ装置は、セルラチップと他システムチップとを用いてセルラ通信と他無線通信とを同時に実行することができる。
【０００３】
一方、ユーザ装置がセルラシステムの基地局（ｅｖｏｌｖｅｄ  ＮｏｄｅＢ：ｅＮＢ）に無線信号を送信する際、相互変調歪み（Ｉｎｔｅｒ−Ｍｏｄｕｌａｔｉｏｎ  Ｄｉｓｔｏｒｔｉｏｎ：ＩＭＤ）や高調波歪み（Ｈａｒｍｏｎｉｃ  Ｄｉｓｔｏｒｔｉｏｎ）がユーザ装置内に発生することが知られている。セルラシステムと他無線システムとの同時通信中に、このような相互変調歪みや高調波歪みが他無線通信の受信周波数帯に落ち込むと、他システムチップによる受信感度が劣化する。例えば、図１に示されるように、ユーザ装置がキャリアアグリゲーション（Ｃａｒｒｉｅｒ  Ａｇｇｒｅｇａｔｉｏｎ：ＣＡ）により２つのコンポーネントキャリアＣＣ＃１，ＣＣ＃２を介しセルラ通信を実行しているとき、相互変調歪みが他システムチップの受信周波数帯に落ち込み、他システムチップにおける受信感度を劣化させる。
【０００４】
このようなセルラ通信において発生する相互変調歪みや高調波歪みによる他無線通信の受信感度の劣化を回避するため、３ＧＰＰ（３ｒｄ  Ｇｅｎｅｒａｔｉｏｎ  Ｐａｒｔｎｅｒｓｈｉｐ  Ｐｒｏｊｅｃｔ）では、ＩｎＤｅｖｉｃｅＣｏｅｘＩｎｄｉｃａｔｉｏｎとして参照されるユーザ装置によるシグナリングが規定されている。すなわち、ユーザ装置は、当該シグナリングを基地局に送信し、セルラシステムへの送信が他無線通信において干渉を生じさせる可能性があることをネットワーク側に通知する。当該シグナリングを受信すると、基地局は、ユーザ装置に対するリソースブロック（ＲＢ）割当ての変更やキャリアアグリゲーションにおけるセカンダリセル（Ｓｃｅｌｌ）の解除などの適切な干渉対処処理を実行することができる。
【先行技術文献】
【非特許文献】
【０００５】
【非特許文献１】３ＧＰＰ  ＴＳ３６．３３１  Ｖ．１３．０．０
【発明の概要】
【発明が解決しようとする課題】
【０００６】
しかしながら、ＩｎＤｅｖｉｃｅＣｏｅｘＩｎｄｉｃａｔｉｏｎを通知するための具体的なトリガ条件は仕様において規定されていない。例えば、ユーザ装置がセルラシステム及び他無線システムと同時通信するときに、ユーザ装置は、ＩｎＤｅｖｉｃｅＣｏｅｘＩｎｄｉｃａｔｉｏｎを通知するようにしてもよい。あるいは、図２に示されるように、セルラチップが他システムチップによる受信状態を監視し、セルラ通信が他無線システムの受信品質を劣化させているとセルラチップが判断した場合、ユーザ装置は、ＩｎＤｅｖｉｃｅＣｏｅｘＩｎｄｉｃａｔｉｏｎを通知するようにしてもよい。しかしながら、これらケースでは、セルラ通信が他無線通信の通信品質を実際に劣化させない場合であっても、当該シグナリングを受信した基地局は、ユーザ装置に対してリソースブロック制限やセカンダリセル解除などの干渉対処処理を実行してしまう可能性があり、不要なスループットの低下を招くことになる。
【０００７】
上述した問題点に鑑み、本発明の課題は、異なる無線システムとの同時通信により生じる干渉を効率的に回避するための技術を提供することである。
【課題を解決するための手段】
【０００８】
上記課題を解決するため、本発明の一態様は、セルラシステムとの第１の無線通信を制御するセルラ通信制御部と、前記セルラシステムと異なる無線システムとの第２の無線通信を制御する他無線システム通信制御部とを有するユーザ装置であって、前記セルラ通信制御部は、前記第１の無線通信において取得した情報に基づき、前記第１の無線通信と前記第２の無線通信との間の干渉を示す干渉通知を前記セルラシステムに通知するユーザ装置に関する。
【０００９】
本発明の他の態様は、セルラシステム及び前記セルラシステムと異なる無線システムと通信するユーザ装置による通信方法であって、前記セルラシステムとの第１の無線通信において情報を取得するステップと、前記取得した情報に基づき、前記第１の無線通信と前記異なる無線システムとの第２の無線通信との間の干渉を示す干渉通知を前記セルラシステムに通知するステップとを有する通信方法に関する。
【発明の効果】
【００１０】
本発明によると、異なる無線システムとの同時通信により生じる干渉を効率的に回避することができる。
【図面の簡単な説明】
【００１１】
【図１】図１は、ＬＴＥ送信によるＩＭＤが他無線システムの受信帯に落ち込む例を示す図である。
【図２】図２は、デバイス間干渉を回避するための従来手法を示す概略図である。
【図３】図３は、本発明の一実施例による無線通信システムを示す概略図である。
【図４】図４は、本発明の一実施例によるユーザ装置のハードウェア構成を示すブロック図である。
【図５】図５は、本発明の一実施例による基地局のハードウェア構成を示すブロック図である。
【図６】図６は、本発明の一実施例によるユーザ装置の機能構成を示すブロック図である。
【図７】図７は、本発明の一実施例によるユーザ装置によるセルラシステムとの無線通信制御処理を示すフロー図である。
【発明を実施するための形態】
【００１２】
以下、図面に基づいて本発明の実施の形態を説明する。
【００１３】
以下の実施例では、異なる無線システムと同時通信可能なユーザ装置が開示される。後述される実施例では、ユーザ装置は、１つの無線システムとの無線通信において取得した情報に基づき、当該無線通信と他の無線システムとの他無線通信との間の干渉を示す干渉通知の送信タイミングを決定する。具体的には、ユーザ装置は、ＬＴＥシステムやＬＴＥ−Ａｄｖａｎｃｅｄシステムなどのセルラ通信において取得した情報（位置情報、送信条件、品質情報、カントリコードなど）に基づき、セルラ通信において発生する相互変調歪みや高調波歪みがＧＮＳＳシステムや無線ＬＡＮシステムなどの他無線システムとの他無線通信に干渉を生じさせないように、干渉通知を基地局に送信する。当該干渉通知を受信すると、基地局は、リソースブロック制限やセカンダリセル解除などの干渉対処処理を実行する。
【００１４】
まず、図３を参照して、本発明の一実施例による無線通信システムを説明する。図３は、本発明の一実施例による無線通信システムを示す概略図である。
【００１５】
図３に示されるように、無線通信システム１０は、ユーザ装置１００、基地局２００及び他無線システム３００を有する。無線通信システム１０は、典型的には、ＬＴＥシステム、ＬＴＥ−Ａｄｖａｎｃｅｄシステム又は５Ｇシステムなどの３ＧＰＰ（３ｒｄ  Ｇｅｎｅｒａｔｉｏｎ  Ｐａｒｔｎｅｒｓｈｉｐ  Ｐｒｏｊｅｃｔ）による規格に準拠した無線通信システムであってもよい。しかしながら、本発明による無線通信システム１０は、これに限定されず、例えば、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＵＭＴＳ  ｅｎｈａｎｃｅｍｅｎｔであってもよいし、ＬＴＥ  ｓｉｎｇｌｅ−ｃｌｕｓｔｅｒ、ＬＴＥ  ｍｕｌｔｉ−ｃｌｕｓｔｅｒ、ＵＬ  ｉｎｔｅｒ−ｂａｎｄ  ＣＡ、ＵＬ  ｉｎｔｒａ−ｂａｎｄ  ｃｏｎｔｉｇｕｏｕｓ  ＣＡ、ＵＬ  ｉｎｔｒａ−ｂａｎｄ  ｎｏｎ−ｃｏｎｔｉｇｕｏｕｓ  ＣＡ、Ｄｕａｌ  ＣｏｎｎｅｃｔｉｖｉｔｙなどのＬＴＥシステムのバリエーションであってもよい。また、図示された実施例では、１つの基地局２００しか示されていないが、無線通信システム１０のサービスエリアをカバーするよう多数の基地局２００が配置される。また、１つの他無線システム３００しか示されていないが、典型的には、測位システムや無線ＬＡＮシステムなどの２つ以上のタイプの他無線システム３００が想定される。
【００１６】
ユーザ装置（ＵＥ）１００は、基地局２００により提供されるセルを介し基地局２００とセルラ通信を実行すると共に、他無線システム３００と他無線通信を実行する。典型的には、ユーザ装置１００は、図示されるように、スマートフォン、携帯電話、タブレット、モバイルルータ、ウェアラブル端末などの無線通信機能を備えた何れか適切な情報処理装置であってもよい。
【００１７】
図４に示されるように、ユーザ装置１００は、ＣＰＵ（Ｃｅｎｔｒａｌ  Ｐｒｏｃｅｓｓｉｎｇ  Ｕｎｉｔ）として機能するプロセッサ１０１、ＲＡＭ（Ｒａｎｄｏｍ  Ａｃｃｅｓｓ  Ｍｅｍｏｒｙ）やフラッシュメモリなどのメモリ装置１０２、基地局２００及び他無線システム３００との間で無線信号を送受信するための通信回路１０３、入出力装置や周辺装置などのユーザインタフェース１０４、ユーザ装置１００内の温度を検知する温度センサなどのセンサ１０５などのハードウェアリソースから構成される。例えば、後述されるユーザ装置１００の各機能及び処理は、メモリ装置１０２に格納されているデータやプログラムをプロセッサ１０１が処理又は実行することによって実現されてもよい。しかしながら、ユーザ装置１００は、上述したハードウェア構成に限定されず、後述する処理の１以上を実現する回路などにより構成されてもよい。
【００１８】
基地局（ｅＮＢ）２００は、セルを介しユーザ装置１００と無線接続することによって、コアネットワーク（図示せず）上に通信接続された上位局やサーバから受信したダウンリンク（ＤＬ）パケットをユーザ装置１００に送信すると共に、ユーザ装置１００から受信したアップリンク（ＵＬ）パケットをサーバに送信する。ユーザ装置１００がキャリアアグリゲーションをサポートしている場合、１つ以上の基地局２００は、２つ以上のセル、すなわち、プライマリセル（Ｐｃｅｌｌ）とセカンダリセル（Ｓｃｅｌｌ）とをユーザ装置１００に設定し、これらのセルを同時に利用してユーザ装置１００と無線信号を送受信してもよい。
【００１９】
図５に示されるように、基地局２００は、典型的には、ユーザ装置１００との間で無線信号を送受信するためのアンテナ２０１、隣接する基地局２００と通信するためのＸ２インタフェース及びコアネットワーク（図示せず）と通信するためのＳ１インタフェースを含む通信インタフェース２０２、ユーザ装置１００との送受信信号を処理するためのプロセッサ２０３、メモリ装置２０４などのハードウェアリソースから構成される。後述される基地局２００の各機能及び処理は、メモリ装置２０４に格納されているデータやプログラムをプロセッサ２０３が処理又は実行することによって実現されてもよい。しかしながら、基地局２００は、上述したハードウェア構成に限定されず、他の何れか適切なハードウェア構成を有してもよい。
【００２０】
他無線システム３００は、ユーザ装置１００に無線信号を送信し、及び／又はユーザ装置１００から無線信号を受信することによって、ユーザ装置１００との無線通信を実行する。他無線システム３００は、限定することなく、ＧＰＳ（Ｇｌｏｂａｌ  Ｐｏｓｉｔｉｏｎｉｎｇ  Ｓｙｓｔｅｍ）システムなどのＧＮＳＳシステム、ＷｉＦｉシステムなどの無線ＬＡＮシステムであってもよい。例えば、他無線システム３００がＧＮＳＳシステムである場合、ユーザ装置１００は、ＧＮＳＳシステムから送信された無線信号を受信し、受信した無線信号に基づき測位処理を実行する。また、他無線システム３００が無線ＬＡＮシステムである場合、ユーザ装置１００は、無線ＬＡＮシステムのアクセスポイントと無線接続し、無線信号をやりとりする。
【００２１】
次に、図６を参照して、本発明の一実施例によるユーザ装置を説明する。図６は、本発明の一実施例によるユーザ装置の機能構成を示すブロック図である。
【００２２】
図６に示されるように、ユーザ装置１００は、セルラ通信制御部１１０及び他無線システム通信制御部１２０を有する。
【００２３】
セルラ通信制御部１１０は、基地局２００との無線通信を制御する。具体的には、セルラ通信制御部１１０は、基地局２００と無線接続し、基地局２００との間でアップリンク／ダウンリンク制御チャネルやアップリンク／ダウンリンクデータチャネルなどの各種無線信号を送受信する。典型的には、セルラ通信制御部１１０が特定の周波数帯の組み合わせによりキャリアアグリゲーションを実行する際、相互変調歪み（Ｉｎｔｅｒ−Ｍｏｄｕｌａｔｉｏｎ  Ｄｉｓｔｏｒｔｉｏｎ：ＩＭＤ）や高調波歪み（Ｈａｒｍｏｎｉｃ  Ｄｉｓｔｏｒｔｉｏｎ）がユーザ装置１００内に発生することが知られている。上述したように、この相互変調歪みや高調波歪みが他無線システム３００からユーザ装置１００に送信される無線信号の受信周波数帯に落ち込むと、他無線システム３００と他無線システム通信制御部１２０との間の他無線通信に干渉が発生し、他無線システム通信制御部１２０による受信感度を劣化させる。例えば、図１に示されるように、ユーザ装置がキャリアアグリゲーションにより２つのコンポーネントキャリアＣＣ＃１，ＣＣ＃２を介しセルラ通信を実行しているとき、相互変調歪みが他システムチップの受信周波数帯に落ち込み、他システムチップにおける受信感度を劣化させる。しかしながら、本発明は、キャリアアグリゲーションにおける相互変調歪みや高調波歪みによる干渉への適用に限定されず、異なる無線システムとの通信により生じる何れの干渉にも適用可能である。
【００２４】
また、セルラ通信制御部１１０は、基地局２００との無線通信において取得した情報に基づき、基地局２００とのセルラ通信と他無線システム３００との他無線通信との間の干渉を示す干渉通知を基地局２００に通知する。当該干渉通知を受信すると、基地局２００は、リソースブロックを再割り当てしたり、キャリアアグリゲーション実行中にはセカンダリセルを解除するなど、適切な干渉対処処理を実行する。例えば、セルラシステムがＬＴＥシステム又はＬＴＥ−Ａｄｖａｎｃｅｄシステムである場合、当該干渉通知は、ＩｎＤｅｖｉｃｅＣｏｅｘＩｎｄｉｃａｔｉｏｎであってもよい。しかしながら、当該干渉通知は、限定することなく、ＵＭＴＳ、ＵＭＴＳ  ｅｎｈａｎｃｅｍｅｎｔ、５Ｇなどの他のセルラシステムとのセルラ通信と、当該セルラシステムと異なる他無線システム３００による他無線通信との間の干渉を示す何れかの通知であってもよい。
【００２５】
一実施例では、セルラ通信において取得した情報は、セルラ通信における基地局測位により取得した位置情報を含むものであってもよい。ここで、基地局測位により取得される位置情報は、サービング基地局２００の位置を示すものであってもよいし、又は複数の近傍の基地局２００からの電波強度から推定したユーザ装置１００の位置を示すものであってもよい。例えば、セルラ通信制御部１１０は、取得した位置情報に基づきユーザ装置１００が干渉発生エリアにあるか判断し、ユーザ装置１００が干渉発生エリアにあると判断すると、干渉通知を基地局２００に通知してもよい。具体的には、セルラ通信制御部１１０は、他無線通信との干渉が頻発するエリアに関する情報を保持し、基地局測位に基づき取得したユーザ装置１００の位置が当該エリアに含まれているか判断する。なお、当該干渉エリア情報は、基地局２００から取得してもよい。
【００２６】
取得した位置が当該エリア内にある場合、セルラ通信制御部１１０は、干渉通知を基地局２００に送信してもよい。すなわち、ユーザ装置１００が干渉頻発エリア内にある場合、セルラ通信制御部１１０は、他無線システム３００との他無線通信と当該セルラ通信とが同時に実行されると、干渉が発生する可能性が高いと判断し、干渉対処処理を要求するため干渉通知を基地局２００に送信する。他方、取得した位置が当該エリア外である場合、セルラ通信制御部１１０は、干渉通知を送信することなくセルラ通信を実行し続けてもよい。すなわち、ユーザ装置１００が干渉頻発エリア外にある場合、セルラ通信制御部１１０は、他無線システム３００との他無線通信と当該セルラ通信とが同時に実行されたとしても干渉が発生する可能性は低く、基地局２００に干渉対処処理を要求する必要がないと判断し、干渉通知を送信することなくセルラ通信を維持する。これにより、セルラ通信制御部１１０は、他無線通信の通信状態を監視することなく、適切な送信タイミング干渉通知を基地局２００に送信することができる。
【００２７】
また、セルラ通信制御部１１０は、取得した位置情報に基づきユーザ装置１００が他無線システム３００による測位が不可な測位不可エリアにあるか判断し、ユーザ装置１００が測位不可エリアにあると判断すると、他無線システム通信制御部１２０をオフ状態に切り替えてもよい。例えば、他無線システム３００がＧＮＳＳシステムであり、ユーザ装置１００が屋内エリアなどの測位不可エリア内にある場合、セルラ通信制御部１１０は、他無線システム通信制御部１２０に他無線通信を中止するよう指示してもよい。これにより、ユーザ装置１００が測位不可エリアにある間、不要な他無線通信の実行を回避し、バッテリ消費を低減することが可能になる。
【００２８】
他無線システム通信制御部１２０は、セルラシステムと異なる他無線システム３００との無線通信を制御する。例えば、他無線システム３００は、限定することなく、ＧＮＳＳシステムや無線ＬＡＮシステムであってもよい。例えば、他無線システム３００がＧＮＳＳシステムである場合、他無線システム通信制御部１２０は、複数のＧＮＳＳ衛星から測位信号を受信し、所定の測位アルゴリズムに従って、受信した複数の測位信号に基づきユーザ装置１００を測位する。あるいは、他無線システム３００が無線ＬＡＮシステムである場合、他無線システム通信制御部１２０は、アクセスポイントに無線接続し、当該アクセスポイントを介し無線ＬＡＮシステムと無線信号をやりとりする。
【００２９】
また、セルラ通信制御部１１０と他無線システム通信制御部１２０とは通信接続され、セルラ通信制御部１１０は、他無線システム通信制御部１２０による他無線通信を監視してもよい。このとき、セルラ通信制御部１１０は、他無線通信の通信品質を監視し、品質劣化量などの品質情報を取得してもよい。
【００３０】
一実施例では、セルラ通信において取得した情報は、基地局２００とのセルラ通信の送信条件を含んでもよく、セルラ通信制御部１１０は、当該送信条件に応じて他無線通信の品質劣化に対する干渉通知を送信するトリガ条件を制御してもよい。当該送信条件は、セルラ通信における送信リソースブロック（ＲＢ）数、送信電力、ユーザ装置１００内の温度などを含むものであってもよい。また、トリガ条件は、干渉通知の促進の程度を示す指標であり、例えば、他無線通信の品質劣化量であってもよい。すなわち、トリガ条件に指定された品質劣化量を超える品質劣化が他無線通信において生じていることが検出された場合に、セルラ通信制御部１１０は、干渉通知を基地局２００に送信してもよい。例えば、送信リソースブロック数が多くなるに従って、トリガ条件に指定される品質劣化量は小さくされてもよい。これは、送信リソースブロック数が多い場合、リソースブロック制限やセカンダリセル解除などの干渉対処処理が実行されたとしても、セルラ通信はそれほど劣化しないと考えられる。このため、セルラ通信制御部１１０は、トリガ条件を緩和し、すなわち、より小さな品質劣化量が他無線通信において検出されても、干渉通知を基地局２００に送信してもよい。他方、送信リソースブロック数が多い場合、干渉対処処理が実行されると、セルラ通信は著しく劣化すると考えられる。このため、セルラ通信制御部１１０は、トリガ条件を厳しくし、すなわち、より大きな品質劣化量が他無線通信において検出された場合に限って、干渉通知を基地局２００に送信してもよい。同様の発想から、送信電力が高くなるに従って、トリガ条件に指定される品質劣化量は大きくなってもよい。また、温度が高くなるに従って、トリガ条件に指定される品質劣化量は大きくなってもよい。
【００３１】
一実施例では、セルラ通信において取得した情報は、基地局２００とのセルラ通信における通信品質を含んでもよく、セルラ通信制御部１１０は、当該通信品質に応じて他無線通信の品質劣化に対する干渉通知を送信するトリガ条件を制御してもよい。例えば、当該通信品質は、基地局２００により提供されるセルのＲＳＲＱ（Ｒｅｆｅｒｅｎｃｅ  Ｓｉｇｎａｌ  Ｒｅｃｅｉｖｅｄ  Ｑｕａｌｉｔｙ）やＲＳＲＰ（Ｒｅｆｅｒｅｎｃｅ  Ｓｉｇｎａｌ  Ｒｅｃｅｉｖｅｄ  Ｐｏｗｅｒ）などであってもよい。例えば、セルの通信品質が良好であるに従って、トリガ条件に指定される品質劣化量は小さくなってもよい。具体的には、通信品質が良好である場合、リソースブロック制限やセカンダリセル解除などの干渉対処処理が実行されたとしても、セルラ通信はそれほど劣化しないと考えられる。このため、セルラ通信制御部１１０は、トリガ条件を緩和し、すなわち、より小さな品質劣化量が他無線通信において検出されても、干渉通知を基地局２００に送信してもよい。他方、通信品質が不良である場合、干渉対処処理が実行されると、セルラ通信は更に劣化すると考えられる。このため、セルラ通信制御部１１０は、トリガ条件を厳しくし、すなわち、より大きな品質劣化量が他無線通信において検出された場合に限って、干渉通知を基地局２００に送信してもよい。
【００３２】
一実施例では、セルラ通信において取得した情報は、セルラシステムのカントリコードを含んでもよく、セルラ通信制御部１１０は、当該カントリコードに応じて他無線通信の品質劣化に対する干渉通知を送信するトリガ条件を制御してもよい。例えば、海外ローミング中、ユーザ装置１００は、ＧＮＳＳシステムや無線ＬＡＮシステムを利用する傾向にある。このため、海外ローミング中はより良好に他無線通信を利用できるように、干渉通知をより送信しやすくしてもよい。すなわち、基地局２００から取得した報知情報に含まれるカントリコードが外国のものである場合、セルラ通信制御部１１０は、トリガ条件を緩和し、すなわち、より小さな品質劣化量が他無線通信において検出されても、干渉通知を基地局２００に送信してもよい。他方、カントリコードが国内のものである場合、セルラ通信制御部１１０は、トリガ条件を厳しくし、すなわち、より大きな品質劣化量が他無線通信において検出された場合に限って、干渉通知を基地局２００に送信してもよい。
【００３３】
なお、セルラ通信において取得した情報は、上述したセルラ通信における基地局測位により取得した位置情報、基地局２００とのセルラ通信の送信条件、基地局２００とのセルラ通信における通信品質及びセルラシステムのカントリコードの何れか２つ以上の組み合わせであってもよいし、あるいは、他の何れか適切な情報であってもよい。
【００３４】
次に、図７を参照して、本発明の一実施例によるユーザ装置による無線通信制御処理を説明する。図７は、本発明の一実施例によるユーザ装置によるセルラシステムとの無線通信制御処理を示すフロー図である。
【００３５】
図７に示されるように、ステップＳ１０１において、ユーザ装置１００は、基地局２００とセルラ通信を実行する。このとき、ユーザ装置１００は、当該セルラ通信において、上述した位置情報、送信条件、品質情報、カントリコードなどの情報を取得してもよい。
【００３６】
ステップＳ１０２において、ユーザ装置１００は、他無線システム３００との他無線通信があるか判断する。例えば、ユーザが地図アプリケーションを起動したとき、あるいは、起動中のアプリケーションから位置情報が要求されたとき、ユーザ装置１００は、他無線システム３００としてＧＮＳＳシステムとの他無線通信を起動する。あるいは、ユーザがＷｉＦｉシステムとの通信を選択したとき、ユーザ装置１００は、他無線システム３００としてＷｉＦｉシステムとの他無線通信を起動する。
【００３７】
他無線通信が検出された場合（Ｓ１０２：ＹＥＳ）、ユーザ装置１００は、ステップＳ１０３において、セルラ通信において取得した情報に基づき干渉通知（ＩｎＤｅｖｉｃｅＣｏｅｘＩｎｄｉｃａｔｉｏｎ）を基地局２００に送信する必要があるか判断する。例えば、当該情報は、基地局測位により取得したユーザ装置１００の位置情報、セルラ通信における送信条件又は通信品質、セルラシステムのカントリコード、これらの何れか２つ以上の組み合わせ、あるいは、他の何れか適切な情報であってもよい。他方、他無線通信が検出されなかった場合（Ｓ１０２：ＮＯ）、ユーザ装置１００は、ステップＳ１０４において、現在実行中のセルラ通信を続ける。
【００３８】
ユーザ装置１００が干渉情報を基地局２００に送信する必要がある場合（Ｓ１０３：ＹＥＳ）、ユーザ装置１００は、ステップＳ１０５において、干渉情報を基地局２００に通知する。他方、ユーザ装置１００が干渉情報を基地局２００に送信する必要がない場合（Ｓ１０３：ＮＯ）、ユーザ装置１００は、ステップＳ１０４において、現在実行中のセルラ通信を続ける。
【００３９】
ステップＳ１０６において、当該干渉情報を受信した基地局２００による干渉対処処理に従って、ユーザ装置１００は、リソースブロック制限やセカンダリセル解除などを実行する。
【００４０】
ステップＳ１０７において、ユーザ装置１００は、基地局２００とのセルラ通信を継続するか判断し、セルラ通信を継続する場合、ステップＳ１０２に戻り、セルラ通信を継続しない場合、ステップＳ１０８において、基地局２００とのセルラ通信を終了する。
【００４１】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４２】
１０  無線通信システム
１００  ユーザ装置
１１０  セルラ通信制御部
１２０  他無線システム通信制御部
２００  基地局
３００  他無線システム
【図１】
2019110352.tif 000003
【図２】
2019110352.tif 000004
【図３】
2019110352.tif 000005
【図４】
2019110352.tif 000006
【図５】
2019110352.tif 000007
【図６】
2019110352.tif 000008
【図７】
2019110352.tif 000009